(57)【要約】【課題】側面を押圧することで所定量の収容液体を射出させるポンプ付き容器を提供する。【解決手段】容器本体１１０内に設けるチャンバ１２０を、筒状のチャンバ本体１２１と、チャンバ本体１２１内に上下動自在に配置されたピストン１２４と、該ピストン１２４を下方向に付勢するチャンバ用緩衝材１２５とで構成する。利用者が容器本体１１０の側面を押圧するとピストン１２４が上昇して、チャンバ本体１２１からポンプヘッド１３０に液体が供給され、ノズル１３２から射出される。利用者が押圧力を弱めると、バランスバルブ１５０が開き、ピストン１２４が下降し、チェックボール１３３がポンプヘッド本体１３１の開口を塞ぎ、液重言バルブ１４１が開いて、容器本体１１０内の液体が液充填管１４０を介してチャンバ本体１２１内に充填される。【選択図】図１
2012041058.tif 000002
【特許請求の範囲】
【請求項１】
液体を収容する容器本体と、
該容器本体内に設けられた筒状のチャンバ本体と、該チャンバ本体内に上下動自在に配置されたピストンと、該ピストンを下方向に付勢するチャンバ用緩衝材とを有し、前記容器本体の側面が外部からの押圧によって変形するときに該ピストンが上昇し且つ該変形から復帰するときに該ピストンが下降するように構成されたチャンバと、
前記チャンバ本体の上端側に設けられ、前記ピストンが上昇することによって該チャンバ本体から供給される前記液体を射出するポンプヘッドと、
前記ピストンが下降するときに前記容器本体内の前記液体を前記チャンバ本体内に充填する液充填管と、
該液充填管による前記液体の充填が行われるときに、前記容器本体内に外気を導入するバランスバルブと、
を備えることを特徴とするポンプ付き容器。
【請求項２】
前記ポンプヘッドが、
下面が開口して前記チャンバ本体に接続されたポンプヘッド本体と、
該ポンプヘッド本体の側面に設けられた、前記液体を射出するノズルと、
前記チャンバ本体と前記ポンプヘッド本体との接続口を塞ぐチェックボールと、
該チェックボールを下方向に付勢するポンプヘッド用緩衝材と、
を備えることを特徴とする請求項１に記載のポンプ付き容器。
【請求項３】
前記ノズルから導入された外気を前記バランスバルブに供給するための外気供給管をさらに備えることを特徴とする請求項２に記載のポンプ付容器。
【請求項４】
前記ポンプヘッド用緩衝材を押圧することによって、前記チェックボールが前記接続口を塞いだ状態に固定する、チェックボール固定機構をさらに備えることを特徴とする請求項１〜３の何れかに記載のポンプ付容器。
【請求項５】
前記液充填管が、前記ピストンが下降するときに開き且つ該ピストンが上昇するときに閉じる液充填バルブを備えることを特徴とする請求項１〜４のいずれかに記載のポンプ付き容器。
【請求項６】
前記チャンバが、前記ピストンの上昇量を調整することによって前記液体の射出量を調整する射出量調整部を備えることを特徴とする請求項１〜５のいずれかに記載のポンプ付き容器。
【請求項７】
前記バランスバルブは、前記容器本体の側面が外部からの押圧によって変形するときに閉じ、且つ、該変形から復帰するときに開くことを特徴とする請求項１〜６のいずれかに記載のポンプ付き容器。
【発明の詳細な説明】
【技術分野】
【０００１】
本発明は、収容された液体をポンプ機構を用いて射出する、ポンプ付き容器に関する。
【背景技術】
【０００２】
ポンプ付き容器は、例えばシャンプー、ハンドソープ等の液体を収容するための容器として、使用されている。かかる容器を用いることにより、一回の操作ごとに、液体を所定量ずつ吐出させることができる。
【０００３】
ポンプ付き容器を開示する文献としては、例えば下記特許文献１が知られている。特許文献１に記載のポンプ付き容器によれば、ポンプヘッドを押し下げることにより、所定量の液体をノズルから吐出させることができる。すなわち、特許文献１のポンプ付き容器では、該容器を洗面台等の上に載置した状態で、利用者が指や手のひら等でポンプヘッドを上から押し下げると、この押下力を利用してポンプのノズルから液体が吐出される。
【０００４】
このようなポンプ付き容器によれば、所定量の液体を、簡単な操作のみで吐出させることができる。
【先行技術文献】
【特許文献】
【０００５】
【特許文献１】特開２００８−２６５７７６号公報
【発明の概要】
【発明が解決しようとする課題】
【０００６】
しかしながら、このような従来のポンプ付き容器には、該容器を利用者が片手に持った状態で使用することが困難であるという欠点がある。
【０００７】
ポンプ付き容器を片手で使用したい場合、利用者は、通常、一方の側面に親指を押し当てるとともに他方の側面に中指や薬指等を押し当てることによって該容器を挟持することになる。そして、この状態のまま、例えば人差し指でポンプヘッドを押し下げることによって、液体を吐出させることになる。
【０００８】
しかしながら、ポンプ付き容器では、ある程度強い力でポンプヘッドを押し下げる必要があり、また、収容される液体を含めると一般に数百グラム程度の重量がある。このため、上述のような挟持状態でポンプヘッドを押し下げることは容易ではなく、ポンプ付き容器を手から落下させてしまうおそれもある。
【０００９】
特に、爪を長く伸ばしている場合やつけ爪をしている場合等には、ポンプ付き容器を指先部分で強く挟持することができないため、十分に強い力で挟持したままポンプヘッドを押し下げることは、利用者にとって非常に困難である。
【００１０】
これに対して、両側面を押すことによって液体を吐出させることができる容器も知られている。このような容器によれば、片手に保持したままの状態で、容易に、液体を吐出させることができる。
【００１１】
しかしながら、このような容器には、液体の吐出量を所定量に設定するためのポンプ機能が備わっていなかった。このため、容器の両側面を押すときの押圧力等に応じて液体の吐出量が変化してしまうという欠点があった。
【００１２】
本発明の課題は、片手に保持した状態でも簡単に使用することができ、且つ、所定量の液体を吐出することが可能な、ポンプ付き容器を提供する点にある。
【課題を解決するための手段】
【００１３】
本発明のポンプ付き容器は、液体を収容する容器本体と、該容器本体内に設けられた筒状のチャンバ本体と、該チャンバ本体内に上下動自在に配置されたピストンと、該ピストンを下方向に付勢するチャンバ用スプリングとを有し、前記容器本体の側面が外部からの押圧によって変形するときに該ピストンが上昇し且つ該変形から復帰するときに該ピストンが下降するように構成されたチャンバと、前記チャンバ本体の上端側に設けられ、前記ピストンが上昇することによって該チャンバ本体から供給される前記液体を射出するポンプヘッドと、前記ピストンが下降するときに前記容器本体内の前記液体を前記チャンバ本体内に充填する液充填管と、該液充填管による前記液体の充填が行われるときに、前記容器本体内に外気を導入するバランスバルブとを備えることを特徴とする。
【００１４】
本発明のポンプ付き容器においては、前記ポンプヘッドが、下面が開口して前記チャンバ本体に接続されたポンプヘッド本体と、該ポンプヘッド本体の側面に設けられた、前記液体を射出するノズルと、前記チャンバ本体と前記ポンプヘッド本体との接続口を塞ぐチェックボールと、該チェックボールを下方向に付勢するポンプヘッド用スプリングとを備えることが望ましい。
【００１５】
本発明のポンプ付容器においては、前記ノズルから導入された外気を前記バランスバルブに供給するための外気供給管をさらに備えることが望ましい。
【００１６】
本発明のポンプ付容器においては、前記ポンプヘッド用緩衝材を押圧することによって、前記チェックポールが前記接続口を塞いだ状態に固定する、チェックボール固定機構をさらに備えることが望ましい。
【００１７】
本発明のポンプ付き容器においては、前記液充填管が、前記ピストンが下降するときに開き且つ該ピストンが上昇するときに閉じる液充填バルブを備えることが望ましい。
【００１８】
本発明のポンプ付き容器においては、前記チャンバが、前記ピストンの上昇量を調整することによって前記液体の射出量を調整する射出量調整部を備えることが望ましい。
【００１９】
本発明のポンプ付き容器において、前記バランスバルブは、前記容器本体の側面が外部からの押圧によって変形するときに閉じ、且つ、該変形から復帰するときに開くことが望ましい。
【発明の効果】
【００２０】
本発明のポンプ付き容器によれば、容器本体の側面が外部からの押圧によって変形するときに、ピストンが上昇して、チャンバ本体内の液体がポンプヘッドから射出される。さらに、容器本体が変形状態から復元されるときに、ピストンが下降して、容器本体内の液体が液充填管を介してチャンバ本体内に充填されるとともに容器本体内に外気が導入される。したがって、本発明のポンプ付き容器によれば、ポンプ付き容器を挟持する指で容器本体の側面をそのまま押圧するだけで、液体をノズルから射出させることができる。
【００２１】
本発明のポンプ付き容器において、チャンバ本体とポンプヘッド本体との接続口を塞ぐチェックボールと、該チェックボールを下方向に付勢するポンプヘッド用スプリングとを設けることにより、簡単な構成で、非射出時に接続口を塞ぐバルブを得ることができる。
【００２２】
本発明のポンプ付容器において、ノズルから導入された外気をバランスバルブに供給するための外気供給管を設けることにより、外気導入時に、ノズル内に残留した液体を容器本体内に戻すことができる。
【００２３】
本発明のポンプ付容器において、チェックボール固定機構を設けることにより、チャックボールが接続口を塞いだ状態に固定することができるので、輸送時等にノズルから液体が漏れることを防止できる。
【００２４】
本発明のポンプ付き容器において、ピストンが下降するときに開き且つピストンが上昇するときに閉じる液充填バルブを設けることにより、ピストンが下降するときに容器本体内の液体をチャンバ本体内に充填するとともに、ピストンが上昇するときに液体がチャンバ本体内に流出することを防止できる。
【００２５】
本発明のポンプ付き容器において、射出量調整部を設けることにより、一回当たりの液体射出量を調整することができる。
【００２６】
本発明のポンプ付き容器において、バランスバルブを、容器本体の側面が外部からの押圧によって変形するときに閉じ且つ変形から復帰するときに開く構成とすることにより、簡単な構成で、液充填管による前記液体の充填が行われるときに容器本体内に外気を導入することができる。
【図面の簡単な説明】
【００２７】
【図１】実施の形態に係るポンプ付き容器の構造を示す概略断面図である。
【図２】実施の形態に係るポンプ付き容器の動作原理を説明するための概略断面図である。
【図３】実施の形態に係るポンプ付き容器の動作原理を説明するための概略断面図である。
【図４】実施の形態に係るポンプ付き容器の動作原理を説明するための概略断面図である。
【図５】実施の形態に係るポンプ付き容器の射出量調整機構を説明するための概略断面図である。
【図６】実施の形態に係るポンプ付き容器のチェックボール固定機構を説明するための概略断面図である。
【発明を実施するための形態】
【００２８】
［実施の形態１］
【００２９】
以下、本発明の実施形態１について、図面を用いて説明する。
【００３０】
図１は、本実施形態に係るポンプ付き容器の構造を概略的に示す断面図である。
【００３１】
図１のポンプ付き容器１００において、容器本体１１０は、液体（例えばシャンプー等、図１には示さず）を収容する。容器本体１１０は、該液体を収容するための下側本体１１１と、該下側本体１１１を塞ぐキャップとしての上側本体１１２を備える。
【００３２】
下側本体１１１と上側本体１１２とは、接合部１１３で、着脱自在に接合・固定される。例えば、下側本体１１１の及び上側本体１１２の一方に雄ねじ溝を設けるとともに他方に雌ねじ溝を設けて、上側本体１１２を下側本体１１１にねじ込むこと等により、着脱自在な接合・固定が可能になる（図示せず）。
【００３３】
上側本体１１２の上面中央部付近には、開口１１３が設けられている。この開口１１３にチャンバ１２０の上端部を貫通させて、該上端部を例えばキャップ１１４で固定することにより、上側本体１１２にチャンバ１２０を保持させることができる。
【００３４】
また、上側本体１１２の上面端部付近には、開口１１５が設けられている。この開口１１５は、バランスバルブ１５０（後述）が開いたときに、外気やノズルに残留した液体を容器本体１１０内に導入するための、開口である。開口１１５は、外気供給管１１６を介して、ノズル１３２の開口１３２ｂ（後述）に接続されている。
【００３５】
下側本体１１１は、利用者が指で押圧することで変形させ易く且つ押圧力を緩めることで形状を復元させることができる材料、例えば軟質樹脂等で形成することが望ましい。
【００３６】
チャンバ１２０は、チャンバ本体１２１と、ピストン１２４と、チャンバ用緩衝材（例えば、コイルスプリング）１２５とを有する。
【００３７】
本実施形態のチャンバ本体１２１は、上側チャンバ本体１２２と下側チャンバ本体１２３とを有し、筒状に形成されている。上側チャンバ本体１２２と下側チャンバ本体１２３とは、接合部分１２１ａで接合されている。本実施形態では、上側チャンバ本体１２２及び下側チャンバ本体１２３の一方に雄ねじ溝を設けるとともに他方に雌ねじ溝を設けて、上側チャンバ本体１２２を下側チャンバ本体１２３にねじ込むことで、これらを接合する。そして、このねじ込み量を調整することにより、チャンバ本体１２１の全長を調整する。図５を用いて後述するように、本実施形態では、チャンバ本体１２１の全長を調整することにより、液体の射出量を調整することができる。なお、上側チャンバ本体１２２と下側チャンバ本体１２３との接合は、一方を他方に圧入する等、他の方法でも良い。但し、全長を調整することが簡単になるため、上述のようなねじ込み方式を採用することが望ましい。
【００３８】
上側チャンバ本体１２２の上部１２２ａは、ポンプヘッド１３０の下部とほぼ同一の半径に形成されて、該ポンプヘッド１３０に接合・固定されている。接合・固定の方法は、上側チャンバ本体１２２及びポンプヘッド１３０の一方に雄ねじ溝を形成し且つ他方に雌ねじ溝を形成してねじ込む方法であっても良いし、単に上側チャンバ本体１２２にポンプヘッド１３０を圧入する方法であっても良いし、他の方法であっても良い。
【００３９】
上側チャンバ本体１２２の内側面には、爪部１２２ｂが設けられている。爪部１２２ｂは、チャンバ用緩衝材１２５を係止するために使用される。
【００４０】
また、上側チャンバ本体１２２の内側面には、液充填用の開口１２２が設けられている。後述するように、開口１２２ｃには、液充填管１４０が接続される。
【００４１】
下側チャンバ本体１２３の下端部分には、この下端部分でピストン１２４を係止させるための折り曲げ部１２３ａが設けられている。
【００４２】
ピストン１２４は、チャンバ本体１２１の内径とほぼ同一の直径を有しており、該チャンバ本体１２１内を自在に上下動できる。後述するように、ピストン１２４が上昇することによりチャンバ本体１２１内の液体がポンプヘッド１３０内に供給され、且つ、ピストン１２４が下降することにより容器本体１１０内の液体が液充填管１４０を介してチャンバ本体１２１内に供給される。
【００４３】
チャンバ用緩衝材１２５は、チャンバ本体１２１内に設けられて、上端が爪部１２２ｂの下面に係止されており、且つ、下端がピストン１２４の上面に当接されている。チャンバ用緩衝材１２５は、ピストン１２４を、下方向に付勢する。後述するように、容器本体１１０の側面が外部からの押圧によって変形するとき、ピストン１２４はチャンバ用緩衝材１２５の付勢力に抗して上昇し、また、容器本体１１０が該変形から復元されるとき、ピストン１２４はチャンバ用緩衝材１２５の付勢力によって下降する。
【００４４】
ポンプヘッド１３０は、チャンバ本体１２１の上端に取り付けられて、該チャンバ本体１２１から供給される液体を射出する。このために、ポンプヘッド１３０は、ポンプヘッド本体１３１と、ノズル１３２と、チェックボール１３３と、ポンプヘッド用緩衝材１３４とを備えている。
【００４５】
ポンプヘッド本体１３１は、下端が開口しており、この開口部分で上側チャンバ本体１２２に接合されている。この開口部分を介して、チャンバ１２１からポンプヘッド本体１３１内に液体が供給される。一方、ポンプヘッド本体１３１の上面は、塞がれている。ポンプヘッド本体１３１は、下側部分１３１ａの内径が小さく且つ上側部分１３１ｂの内径が大きくなるように形成されている。
【００４６】
ノズル１３２は、ポンプヘッド本体１３１の側面に形成されている。ノズル１３２は、ポンプヘッド本体１３１に供給された液体を、先端部１３２ａから外部に射出する。射出の方式としては、液体を吐出する方式であっても良いし、噴霧する方式であっても良い。また、ノズル１３２の下面には、開口１３２ｂが設けられている。上述のように、開口１３２ｂは、外気供給管１１６を介して、上側本体１１２の開口１１５に接続されている。
【００４７】
チェックボール１３３は、ポンプヘッド本体１３１内に配置される。チェックボール１３３の直径は、ポンプヘッド本体１３１の下側部分１３１ａの内径よりも大きく、且つ、上側部分１３１ｂの内径よりも小さい。したがって、チェックボール１３３は、ポンプヘッド本体１３１の下端付近に位置しているときは該ポンプヘッド本体１３１の開口を塞ぐが、該ポンプヘッド本体１３１内を上昇すると該開口を露出させることになる。
【００４８】
ポンプヘッド用緩衝材１３４は、上端部分が押さえ板１３５ａ（後述）に当接し、且つ、下端部分がチェックボール１３３に当接している。これにより、ポンプヘッド用緩衝材１３４は、チェックボール１３３を、下方向（すなわち、ポンプヘッド本体１３１の開口を塞ぐ方向）に付勢している。
【００４９】
チェックボール１３３及びポンプヘッド用緩衝材１３４により、液体を射出するときのみにポンプヘッド本体１３１の開口を露出させるバルブが構成される。
【００５０】
ポンプヘッド本体１３１の上部には、チェックボール固定機構１３５が設けられている。チェックボール固定機構１３５は、ポンプヘッド用緩衝材１３４を上から押圧することによって、チェックボール１３３を、ポンプヘッド本体１３１の開口を塞いだ状態に固定するための機構である。図１に示したように、本実施形態のチェックボール固定機構１３５は、ポンプヘッド本体１３１内に配置された押さえ板１３５ａと、ポンプヘッド本体１３１の上面を貫通させて設けられたねじ込み棒１３５ｂとを有する。上述のように、押さえ板１３５ａは、ポンプヘッド用緩衝材１３４に当接する。ねじ込み棒１３５ｂの下端は押さえ板１３５ａに当接しており、上部に設けられた摘みを回転させること等によって押さえ棒１３５ａを下降或いは上昇させることができる。ねじ込み棒を下降或いは上昇させる方式は、ネジ溝を用いた方式で良いが、例えばポンプヘッド本体１３１に圧入する方式等の他の方式でも良い。
【００５１】
液充填管１４０は、容器本体１１０内の液体をチャンバ本体１２１内に充填するために使用される。液充填管１４０の内部には、液充填バルブ１４１が設けられている。後述するように、液充填バルブ１４１は、ピストン１２４が下降するときに開いて液体をチャンバ本体１２１内に供給し、且つ、ピストン１２４が上昇するときに閉じてチャンバ本体１２１内の液体が液充填管１４０から流出することを防止する。
【００５２】
バランスバルブ１５０は、容器本体１１０内に外気を導入する気圧調整弁である。後述するように、液充填管１４０がチャンバ本体１２１内に液体を充填するとき（すなわち、容器本体１１０が変形状態から元の状態に戻るとき）、バランスバルブ１５０による外気の導入が行われる。
【００５３】
以下、図１に示したポンプ付き容器１００の原理について、図２〜図４の概略断面図を用いて説明する。
【００５４】
図２は、ポンプ付き容器１００内の使用が開始される前の状態を示している。
【００５５】
ポンプ付き容器１００には、液体２０１が収容されている。すなわち、図２の例では、液体２０１が、容器本体１１０内、チャンバ本体１２１内、液充填管１４０内及びポンプヘッド本体１３１の下側部分１３１ａ（すなわち、チェックボール１３３よりも下の部分）に充填されている。なお、ポンプ付容器１１０を実際に使用するとき、チェックボール固定機構１３５の押さえ板１３５ａは、最も上の部分まで押し上げられている。
【００５６】
図２の状態では、ピストン１２４は、チャンバ用緩衝材１２５の付勢力によって、チャンバ本体１２１の下端部分（すなわち、折り曲げ部１２３ａで係止される位置）まで下降している。また、チェックボール１３３は、ポンプヘッド用緩衝材１３４の付勢力により、ポンプヘッド本体１３１の下側部分１３１ａを塞いでいる。
【００５７】
さらに、図２の状態では、容器本体１１０内の液圧とチャンバ本体１２１内の液圧とはほぼ一致し、したがって液充填バルブ１４１は閉じている。また、容器本体１１０内の空気圧は外気圧とほぼ一致し、したがってバランスバルブ１５０は閉じている。
【００５８】
次に、図２の状態にあるポンプ付き容器１００において、容器本体１１０の側面が押圧された場合（例えば、利用者が指等で容器本体１１０の両側面を押圧した場合）を説明する。図３は、かかる場合を示す概略断面図である。
【００５９】
図３に示したように、かかる押圧によって容器本体１１０が内側に凹むと、容器本体１１０の内部容積が減少することになる。このため、容器本体１１０内の空気圧が上昇する。また、このとき、バランスバルブ１５０は閉じたままである。
【００６０】
したがって、容器本体１１０内の空気は、液体２０１の液面を押し下げる方向の圧力を発生させる。このため、液体２０１は、ピストン１２４に上方向の圧力を加える。その結果、ピストン１２４は、チャンバ用緩衝材１２５の付勢力に抗して上昇する。
【００６１】
このとき、液充填バルブ１４１は閉じた状態に維持される。このため、チャンバ本体１２１内の液体２１０は、チェックボール１３３に上方向の圧力を加える。その結果、チェックボール１３３は、ポンプヘッド用緩衝材１３４の付勢力に抗して、上昇する。
【００６２】
チェックボール１３３が上昇すると、ポンプヘッド本体１３１の開口が露出する。そして、この開口からポンプヘッド本体１３１内に液体２０１が供給されて、ノズル１３２から射出する。
【００６３】
チャンバ用緩衝材１２５が完全に縮んだ状態になると、ピストン１２４の上昇が停止し、液体２０１の射出も終了する。
【００６４】
このように、液体２０１の射出量は、ピストン１２４が折り曲げ部１２３ａによって係止する位置と、ピストン１２４の上昇後の停止位置との距離によって、決定される。
【００６５】
続いて、図３の状態において、押圧が緩められて容器本体１１０の形状が元の状態に戻る場合の動作を説明する。図４は、かかる場合の動作を示す概略断面図である。
【００６６】
容器本体１１０の形状が元の状態に戻ろうとするとき、容器本体１１０の容積が増大しようとする。このため、容器本体１１０内の空気圧が低下して、バランスバルブ１５０が開く。このため、ノズル１３２を介して容器本体１１０内に外気が導入される。この結果、容器本体１１０内の空気が液体２０１の液面を押し下げる力が弱まる。これにより、ピストン１２４が、チャンバ用緩衝材１２５の付勢力による下降を開始する。
【００６７】
ピストン１２４が下降を開始すると、チェックボール１３３も、ポンプヘッド用緩衝材１３４の付勢力による下降を開始する。そして、チェックボール１３３によって、ポンプヘッド本体１３１の開口が塞がれる。
【００６８】
ポンプヘッド本体１３１の開口が塞がれた後も、ピストン１２４は、さらに下降する。このため、チャンバ本体１２１内の液圧が容器本体１１０内の液圧よりも低くなって、液充填バルブ１４１が開く。これにより、液充填管１４０を介して、液体２０１が、容器本体１１０内からチャンバ本体１２１内に充填される。
【００６９】
その後、ピストン１２４は、折り曲げ部１２３ａまで達して、下降を停止する。また、容器本体１１０内の空気圧が外気圧とほぼ一致することにより、バランスバルブ１５０が閉じる。これにより、ポンプ付き容器１００の各構成部は、図２に示されたような状態に戻る。
【００７０】
なお、バランスバルブ１５０が開いているとき、外気とともに、ノズル１３２内に残留した液体を、容器本体１１０内に戻すことができる。
【００７１】
次に、本実施形態のポンプ付き容器１００において、液体の射出量を調整する方法につき、図５の概略断面図を用いて説明する。
【００７２】
上述のように、本実施形態のポンプ付き容器１００では、上側チャンバ本体１２２を下側チャンバ本体１２３にねじ込む際のねじ込み量を調整することで、チャンバ本体１２１の全長を調整することができる。図１と図５との比較から解るように、図５の例では、かかるねじ込み量を多くすることにより、チャンバ本体１２１の全長（より正確には、爪部１２２ｂと折り曲げ部１２３ａとの距離）が図１の例よりも短く設定されている。
【００７３】
このため、図５の例では、容器本体１１０の両側面を押圧したときにピストン１２４が上昇する量（すなわち、ピストン１２４の上昇開始前の位置と上昇後の停止位置との距離）は、図１の例よりも短くなる。
【００７４】
ここで、上述のように、液体２０１の射出量は、ピストン１２４の上昇量によって、決定される。
【００７５】
したがって、図５のようにしてチャンバ本体１２１の全長を調整することにより、液体２０１の射出量を調整することができる。
【００７６】
次に、本実施形態のポンプ付き容器１００において、チェックボール固定機構１３５によってチャックボール１３３を固定する方法について、図６の概略断面図を用いて説明する。
【００７７】
上述のように、チェックボール固定機構１３５のねじ込み棒１３５ｂをポンプヘッド本体１３１の上部からねじ込みことによって、押さえ板１３５ａを下降させることができ、これによって、ポンプヘッド用緩衝材１３４を上側から押圧することができる。そして、ポンプヘッド用緩衝材１３４を押圧することで、チェックボール１３３を、ポンプヘッド本体１３１の開口を塞いだ状態に固定することができる。このような状態にチェックボール１３３を固定した場合、容器本体１１０の側面が外部からの押圧によって変形しても、ノズル１３２から液体が射出されることはない。
【００７８】
したがって、例えば流通過程等において、ポンプ付容器１００に液体が収容された状態で運搬等を行う場合に、ポンプ付容器１００からの液体漏れを防止することができる。
【００７９】
以上説明したように、本実施形態によれば、容器本体１１０の側面が外部からの押圧によって変形するときに、ピストン１２４が上昇して、チャンバ本体１２１内の液体２０１がポンプヘッド１３０から射出される。さらに、容器本体１１０が変形状態から復元されるときに、ピストン１２４が下降して、容器本体１１０内の液体２０１が液充填管１４０を介してチャンバ本体１２１内に充填されるとともに容器本体１１０内に外気が導入される。したがって、本実施形態によれば、ポンプ付き容器１００を挟持する指で容器本体１１０の側面をそのまま押圧するだけで、所定量の液体２０１をノズル１３２から射出させることが可能である。
【産業上の利用可能性】
【００８０】
本発明に係るポンプ付き容器は、例えばシャンプー、ハンドソープ等の液体石鹸類に使用できるだけでなく、食品、化学薬品、医薬品等あらゆる液体を収容する容器に適用することができる。
【符号の説明】
【００８１】
１００  ポンプ付き容器
１１０  容器本体
１１１  下側本体
１１２  上側本体
１１３  接合部
１１４  キャップ
１１５  開口
１１６  外気供給管
１２０  チャンバ
１２１  チャンバ本体
１２１ａ  接合部分
１２２  上側チャンバ本体
１２２ｂ  爪部
１２３  下側チャンバ本体
１２３ａ  折り曲げ部
１２４  ピストン
１２５  チャンバ用緩衝材
１３０  ポンプヘッド
１３１  ポンプヘッド本体
１３１ａ  下側部分
１３１ｂ  上側部分
１３２  ノズル
１３２ａ  先端部
１３２ｂ  開口
１３３  チェックボール
１３４  ポンプヘッド用緩衝材
１３５  チェックボール固定機構
１３５ａ  押さえ板
１３５ｂ  ねじ込み棒
１４０  液充填管
１４１  液充填バルブ
１５０  バランスバルブ
【図１】
2012041058.tif 000003
【図２】
2012041058.tif 000004
【図３】
2012041058.tif 000005
【図４】
2012041058.tif 000006
【図５】
2012041058.tif 000007
【図６】
2012041058.tif 000008